(57)【特許請求の範囲】
【請求項１】
可溶合金を含む電極と、
前記可溶合金を含む電極の一方の面に対峙する可視光を透過する電極と、
前記可溶合金を含む電極と前記可視光を透過する電極の間に発光性の有機化合物を含む層と、
前記可溶合金を含む電極の他方の面に接する熱溶融性の有機組成物を含む層と、を有し、
前記可溶合金の融点が、前記熱溶融性の有機組成物の融点より高く、且つ前記発光性の有機化合物を含む層が破壊する温度より低い発光素子。
【請求項２】
前記可溶合金を含む電極より前記熱溶融性の有機組成物を含む層が厚い、請求項１記載の発光素子。
【請求項３】
前記可溶合金の融点が２００℃以下であり、
前記熱溶融性の有機組成物の融点が１００℃以上である、請求項１または請求項２記載の発光素子。
【請求項４】
前記可溶合金は、ビスマス（Ｂｉ）、インジウム（Ｉｎ）、鉛（Ｐｂ）、スズ（Ｓｎ）、亜鉛（Ｚｎ）から選ばれた一を含み、融点が１００℃より高く２００℃以下である請求項１乃至請求項３のいずれか一に記載の発光素子。
【請求項５】
前記熱溶融性の有機組成物は、ロジン、ワックス及び熱溶融性の樹脂から選ばれた一を含む請求項１乃至請求項４のいずれか一に記載の発光素子。
【請求項６】
前記可溶合金を含む電極と前記発光性の有機化合物を含む層の間に電荷発生層が設けられた請求項１乃至請求項５のいずれか一に記載の発光素子。
【請求項７】
請求項１乃至請求項６のいずれか一に記載の発光素子を用いた発光装置。
【発明の詳細な説明】
【技術分野】
【０００１】
本発明は、発光素子および発光装置に関する。特に、一対の電極の間に発光性の薄膜を設けた発光素子および該発光素子を用いた発光装置に関する。
【背景技術】
【０００２】
一対の電極の間に膜状に広がる発光性の有機化合物を含む層（ＥＬ層ともいう）を設けた発光素子が知られている。このような発光素子は例えば有機ＥＬ素子と呼ばれ、一対の電極の間に電圧を印加すると、発光性の有機化合物から発光が得られる。また、有機ＥＬ素子を用いた発光デバイスとしては、アクティブマトリクス基板に適用した表示装置や、面状の照明装置などをその例に挙げることができる。
【０００３】
例えば、有機ＥＬ素子を用いた照明器具が特許文献１に開示されている。
【先行技術文献】
【特許文献】
【０００４】
【特許文献１】特開２００６−１０８６５１号公報
【発明の概要】
【発明が解決しようとする課題】
【０００５】
ところで、ＥＬ層の厚さは数十ｎｍから数百ｎｍ程度と薄いため、一対の電極の間に異物が混入すると短絡性の不良が発生し易いという問題がある。なお、本明細書において短絡性の不良とは、一対の電極が、電圧を印加する前から短絡している場合だけでなく、電圧を印加した結果（例えば電流がＥＬ層の厚さが局所的に薄い部分に集中して流れた結果）短絡していなかった一対の電極が短絡する場合も含むものとする。
【０００６】
有機ＥＬ素子の一対の電極が短絡すると、該有機ＥＬ素子は点灯しなくなるだけでなく、発熱により電力を無駄に消費してしまう。また、隣接して他の有機ＥＬ素子が設けられている場合は、短絡した有機ＥＬ素子が発する熱で隣接する他の有機ＥＬ素子が破壊されてしまう、または劣化してしまう場合がある。
【０００７】
特に、定電圧電源に接続された有機ＥＬ素子が短絡すると、該有機ＥＬ素子が点灯しなくなるだけでなく、発熱により火災が引き起こされてしまう場合もある。なぜなら、短絡により電気抵抗が小さくなった発光素子に、定電圧電源から多量の電流が供給されてしまうからである。
【０００８】
本発明は、このような技術的背景のもとでなされたものである。したがって、その目的は、短絡性の不良が顕在化しても電力が無駄に消費されない発光素子を提供することを目的の一とする。または、短絡性の不良が顕在化した発光素子により、無駄に電力が消費されない発光装置を提供することを目的の一とする。
【課題を解決するための手段】
【０００９】
上記目的を達成するために、本発明は、発光素子に顕在化した短絡性の不良が発する熱に着眼した。そして、発光素子の一対の電極の少なくとも一方に、短絡性の不良が顕在化した際に該不良が発する熱により温度Ｔ２で溶融する可溶合金を用い、且つ該電極の他方の電極に対峙する面とは逆側の面に温度Ｔ１で溶融する有機組成物を含む層を有する構成とする。そして、該発光素子が破壊する温度Ｔ３に比べ、Ｔ２が低く、Ｔ２に比べＴ１を低くする構成に想到し、上記課題の解決に至った。なお、本明細書において短絡性の不良が顕在化した状態とは、短絡性の不良が熱を発するようになった状態をいう。また、本明細書において溶融した状態とは、熱により流動性が発現した状態をいう。
【００１０】
すなわち、本発明の一態様は、可溶合金を含む電極と、可溶合金を含む電極の一方の面に対峙する可視光を透過する電極と、可溶合金を含む電極と可視光を透過する電極の間に発光性の有機化合物を含む層と、可溶合金を含む電極の他方の面に接する熱溶融性の有機組成物を含む層と、を有し、可溶合金の融点が、熱溶融性の有機組成物の融点より高く、且つ発光性の有機化合物を含む層が破壊する温度より低い発光素子である。
【００１１】
上記本発明の一態様の発光素子は、可溶合金を含む電極と、可視光を透過する電極との間に発光性の有機化合物を含む層を備え、該可溶合金を含む電極は熱溶融性の有機組成物を含む層と接している。加えて、該可溶合金の融点は該熱溶融性の有機組成物の融点より高く、且つ該発光性の有機化合物を含む層が破壊してしまう温度より低い構成を有する。
【００１２】
これにより、該発光素子に含まれる短絡性の不良が顕在化した際に発する熱が発光性の有機化合物を含む層を破壊してしまう前に、まず該熱溶融性の有機組成物を含む層が溶融され、次いで可溶合金を含む電極が溶融される。
【００１３】
可溶合金を含む電極は熱溶融性の有機組成物に比べて表面張力が大きいため、溶融されるとその表面積を収縮しようとする。また、熱溶融性の有機組成物は、既に溶融されて流動性を増しているため、該可溶合金を含む電極が形態を変化する際に必要とする空間を提供できる。
【００１４】
そして、溶融した可溶合金を含む電極が収縮しはじめ、ついには短絡性の不良による温度の上昇が激しい部位に穿孔が生じる。生じた穿孔は該短絡性の不良への電力の供給を遮断する効果を奏する。また、溶融した可溶合金を含む電極は、温度が高く流動し易い場所から温度が低く凝固した領域に向かって後退する。そして、可溶合金に生じた孔に溶融した熱溶融性の有機組成物を含む層が流れ込み、その孔を埋める。このようにして、短絡性の不良が解消され且つ熱溶融性の有機組成物が可溶合金を含む電極が後退した部位を埋める構成に至る。その結果、短絡性の不良が顕在化しても電力が無駄に消費されない発光素子を提供できる。または、短絡性の不良が顕在化した部位の発光性の有機化合物を含む層が、熱溶融性の有機組成物により保護された発光素子を提供できる。
【００１５】
また、本発明の一態様は、可溶合金を含む電極より熱溶融性の有機組成物を含む層が厚い、上記の発光素子である。
【００１６】
上記本発明の一態様の発光素子は、可溶合金を含む電極より熱溶融性の有機組成物を含む層が厚い構成を有する。これにより、溶融して流動性が増し、大きく変形できるようになった熱溶融性の有機組成物が、該可溶合金を含む電極が形態を変化するのに充分な空間を提供できる。または、可溶合金を含む電極の表面を途切れることなく覆うことができ、可溶合金の収縮を容易にする。そして、溶融した可溶合金を含む電極は、温度が高く流動し易い場所から温度が低く凝固した領域に向かって後退する。そして、可溶合金に生じた孔に溶融した熱溶融性の有機組成物を含む層が流れ込み、その孔を埋める。このようにして、短絡性の不良が解消され且つ熱溶融性の有機組成物が可溶合金を含む電極が後退した部位を埋める構成に至る。その結果、短絡性の不良が顕在化しても電力が無駄に消費されない発光素子を提供できる。または、短絡性の不良が顕在化した部位の発光性の有機化合物を含む層が、熱溶融性の有機組成物により保護された発光素子を提供できる。
【００１７】
また、本発明の一態様は、可溶合金の融点が２００℃以下であり、熱溶融性の有機組成物の融点が１００℃以上である、上記の発光素子である。
【００１８】
上記本発明の一態様の発光素子は、可溶合金の融点が２００℃以下であり熱溶融性の有機組成物の融点が１００℃以上である構成を有する。これにより、発光性の有機化合物を含む層に含まれる有機化合物に、そのガラス転移点温度を大幅に越える温度が加わり続ける状況を避け、発光性の有機化合物を含む層が破壊されてしまうのを防ぐ効果を奏する。且つ、熱溶融性の有機組成物が通常の使用環境において凝固した状態となり発光性の有機化合物を含む層を保護する効果を奏する。その結果、短絡性の不良が顕在化しても電力が無駄に消費されない発光素子を提供できる。または、短絡性の不良が顕在化した部位の発光性の有機化合物を含む層が、熱溶融性の有機組成物により保護された発光素子を提供できる。
【００１９】
また、本発明の一態様は、可溶合金は、ビスマス（Ｂｉ）、インジウム（Ｉｎ）、鉛（Ｐｂ）、スズ（Ｓｎ）、亜鉛（Ｚｎ）から選ばれた一を含み、融点が１００℃より高く２００℃以下である上記の発光素子である。
【００２０】
上記本発明の一態様の発光素子は、ビスマス（Ｂｉ）、インジウム（Ｉｎ）、鉛（Ｐｂ）、スズ（Ｓｎ）、亜鉛（Ｚｎ）から選ばれた一を含み、融点が１００℃より高く２００℃以下である可溶合金を含む電極を有する。これにより、顕在化した短絡性の不良が発する熱で発光性の有機化合物を含む層が破壊される前に、可溶合金を含む電極が溶融し、短絡性の不良が解消される。その結果、短絡性の不良が顕在化しても電力が無駄に消費されない発光素子を提供できる。
【００２１】
また、本発明の一態様は、熱溶融性の有機組成物は、ロジン、ワックス、及び熱溶融性の樹脂から選ばれた一を含む上記の発光素子である。
【００２２】
上記本発明の一態様の発光素子は、ロジン、パラフィンワックス、及びアクリル樹脂から選ばれた一を含む熱溶融性の有機組成物が可溶合金を含む電極に接して設けられた構成を有する。これにより、表面張力が低い上記有機組成物が可溶合金の表面を途切れることなく覆うことができるため、溶融した可溶合金の移動が容易になり、温度が高く流動し易い場所から温度が低く凝固した領域に向かって後退する。そして、可溶合金に生じた孔に溶融した熱溶融性の有機組成物を含む層が流れ込み、その孔を埋める。このようにして、短絡性の不良が解消され且つ熱溶融性の有機組成物が可溶合金を含む電極が後退した部位を埋める構成に至る。その結果、短絡性の不良が顕在化しても電力が無駄に消費されない発光素子を提供できる。または、短絡性の不良が顕在化した部位の発光性の有機化合物を含む層が、熱溶融性の有機組成物により保護された発光素子を提供できる。
【００２３】
また、本発明の一態様は、可溶合金を含む電極と発光性の有機化合物を含む層の間に電荷発生層が設けられた上記の発光素子である。
【００２４】
上記本発明の一態様の発光素子は、可溶合金を含む電極と前記発光性の有機化合物を含む層の間に電荷発生層が設けられた構成を有する。これにより、可溶合金の仕事関数が大きい場合であっても、駆動電圧の上昇が抑制され且つ短絡性の不良が顕在化しても電力が無駄に消費されない発光素子を提供できる。または、駆動電圧の上昇が抑制され且つ短絡性の不良が顕在化した部位の発光性の有機化合物を含む層が、熱溶融性の有機組成物により保護された発光素子を提供できる。
【００２５】
また、本発明の一態様は、上記の発光素子を用いた発光装置である。
【００２６】
上記本発明の一態様の発光装置は、上記の発光素子が適用された構成を有する。これにより、短絡性の不良が顕在化しても電力が無駄に消費されない発光装置を提供できる。
【００２７】
なお、本明細書において、ＥＬ層とは発光素子の一対の電極間に設けられた層を示すものとする。従って、電極間に挟まれた発光物質である有機化合物を含む発光層はＥＬ層の一態様である。
【００２８】
なお、本明細書中において、発光装置とは画像表示デバイス、発光デバイス、もしくは光源（照明装置含む）を指す。また、発光装置にコネクター、例えばＦＰＣ（Ｆｌｅｘｉｂｌｅ  ｐｒｉｎｔｅｄ  ｃｉｒｃｕｉｔ）もしくはＴＡＢ（Ｔａｐｅ  Ａｕｔｏｍａｔｅｄ  Ｂｏｎｄｉｎｇ）テープもしくはＴＣＰ（Ｔａｐｅ  Ｃａｒｒｉｅｒ  Ｐａｃｋａｇｅ）が取り付けられたモジュール、ＴＡＢテープやＴＣＰの先にプリント配線板が設けられたモジュール、または発光素子が形成された基板にＣＯＧ（Ｃｈｉｐ  Ｏｎ  Ｇｌａｓｓ）方式によりＩＣ（集積回路）が直接実装されたモジュールも全て発光装置に含むものとする。
【発明の効果】
【００２９】
本発明の一態様によれば、短絡性の不良が顕在化しても電力が無駄に消費されない発光素子を提供できる。または、短絡性の不良が顕在化した発光素子により、無駄に電力が消費されない発光装置を提供できる。
【図面の簡単な説明】
【００３０】
【図１】実施の形態に係る発光素子の構成を説明する図。
【図２】実施の形態に係る発光素子を複数備える発光パネルを説明する図。
【図３】実施の形態に係る発光素子に顕在化した短絡性の不良箇所を説明する図。
【図４】実施の形態に係る発光素子の作製方法を説明する図。
【図５】実施の形態に係る発光素子の構成を説明する図。
【図６】実施の形態に係る発光素子の構成を説明する図。
【図７】実施の形態に係る発光装置の構成を説明する図。
【図８】実施の形態に係る発光装置の構成を説明する図。
【図９】実施の形態に係る電子装置説明する図。
【図１０】実施の形態に係る照明装置を説明する図。
【発明を実施するための形態】
【００３１】
実施の形態について、図面を用いて詳細に説明する。但し、本発明は以下の説明に限定されず、本発明の趣旨及びその範囲から逸脱することなくその形態及び詳細を様々に変更し得ることは当業者であれば容易に理解される。従って、本発明は以下に示す実施の形態の記載内容に限定して解釈されるものではない。なお、以下に説明する発明の構成において、同一部分又は同様な機能を有する部分には同一の符号を異なる図面間で共通して用い、その繰り返しの説明は省略する。
【００３２】
（実施の形態１）
本実施の形態では、可溶合金を含む電極と可視光を透過する電極との間に発光性の有機化合物を含む層を備え、該可溶合金を含む電極は熱溶融性の有機組成物を含む層と接し、且つ該可溶合金の融点は該熱溶融性の有機組成物の融点より高く、また該発光性の有機化合物を含む層が破壊されてしまう温度より低い構成を備える発光素子について図１乃至図３を参照して説明する。
【００３３】
本発明の一態様の発光素子の断面の構成を図１（Ａ）に示す。図１（Ａ）に例示する発光素子１５０ａは、基板１００上に第１の電極１０１と、第１の電極１０１上に開口部を有する隔壁１０４と、第２の電極１０２と、第１の電極１０１と第２の電極１０２の間に発光性の有機化合物を含む層１０３と、第２の電極上に熱溶融性の有機組成物を含む層１０５と、を有する。
【００３４】
また、発光素子１５０ａは、発光素子１５０ａを囲うシール材１５８を用いて貼り合わされた封止材１５９と基板１００の間に封止され、大気から隔離されている。また、発光素子１５０ａの第１の電極１０１と電気的に接続する第１の端子１５１と、第２の電極１０２と電気的に接続する第２の端子１５２と、が設けられている。
【００３５】
＜可溶合金を含む電極＞
発光素子１５０ａの第２の電極１０２は、可溶合金を含む。第２の電極１０２に用いることができる合金としては、導電性を有し、発光素子１５０ａの他の構成の耐熱温度よりも融点が低い可溶合金を挙げることができる。また、その融点は発光素子を使用および保管する環境温度よりも高いことが望まれる。具体的には、１００℃より高く２００℃以下が好ましい。
【００３６】
なお、ここでいう耐熱温度とは、第２の電極１０２以外の構成（以下他の構成という）の機能が損なわれるまたは著しく低下する温度をいう。また、他の構成には例えば基板１００、第１の電極１０１、隔壁１０４、発光性の有機化合物を含む層１０３の他、シール材１５８、封止材１５９などが含まれる。また、発光素子１５０ａが用いられた発光装置においては、その発光装置を構成する他の構成も含めるものとする。すなわち、発光素子１５０ａに顕在化した短絡性の不良が発する熱の影響を受けて、発光装置の機能を損なうまたは著しく低下する原因となる構成であって、第２の電極以外のものをいう。特に、発光性の有機化合物を含む層は、熱による影響を受け易い有機化合物を含み、またその厚さが薄いため、他の構成のなかでも比較的低い温度で破壊され易い。
【００３７】
＜可溶合金＞
本実施の形態で例示する発光素子に適用できる可溶合金の融点は、具体的には１００℃より高く２００℃以下であり、様々な材料を利用できる。代表的にはビスマス（Ｂｉ）、インジウム（Ｉｎ）、鉛（Ｐｂ）、スズ（Ｓｎ）、亜鉛（Ｚｎ）から選ばれた一を含む合金のうち、融点が１００℃より高く２００℃以下になるように調整されたものを用いることができる。なお、銀（Ａｇ）、銅（Ｃｕ）または／およびアンチモン（Ｓｂ）等を改質剤として添加して用いることもできる。
【００３８】
例えば、融点１１０℃の可溶合金としては、Ｓｎ４６重量％，Ｉｎ５０重量％，Ｂｉ４重量％の組成のもの、融点１２６℃の可溶合金としては、Ｓｎ４３重量％，Ｉｎ４６．５重量％，Ｐｂ１０．５重量％のもの、融点１３０℃の可溶合金としては、Ｓｎ４８重量％，Ｉｎ３４重量％，Ｐｂ１８重量％のもの、融点１３５℃の可溶合金としては、Ｓｎ４６．５重量％，Ｐｂ３０重量％，Ｃｄ１７重量％，Ｉｎ６．５重量％のもの、融点１４５℃の可溶合金としては、Ｓｎ５０重量％，Ｐｂ３２重量％，Ｃｄ１８重量％のもの、融点１４７℃の可溶合金としては、Ｓｎ５２重量％，Ｐｂ２７重量％，Ｉｎ２１重量％のもの，融点１６４℃の可溶合金としては、Ｓｎ４７．５重量％，Ｐｂ４０．５重量％，Ｂｉ１２重量％の融点のもの、融点１８３℃の可溶合金としては、Ｓｎ６３重量％，Ｐｂ３７重量％のものなどが挙げられる。
【００３９】
なお、Ｉｎ、Ｓｎ及びＡｇからなる可溶合金は構成する元素の種類が少なく、且つ人体に対し比較的毒性が低いため好ましい。例えば、融点１４４℃の可溶合金をＩｎ９５重量％、Ｓｎ２重量％、Ａｇ３重量％の組成で作製できる。
【００４０】
また、上記の材料からなる可溶合金を、別の材料を用いて形成した導電膜と積層して用いることができる。例えばＡｇ、Ａｌ、Ｃｕなど導電性の高い導電膜と積層することで、可溶合金を含む電極のシート抵抗を低減し、発光素子の発光領域に生じやすい輝度ムラを低減できる。また、可溶合金を含む電極の発光性の有機化合物を含む層に接する側に、キャリアの注入性を考慮して調整された仕事関数を有する導電膜を積層してもよい。具体的には第２の電極１０２を陽極として用いる場合は、仕事関数の絶対値が４．０ｅＶ以上の導電膜を設ける構成が特に好ましく、第２の電極１０２を陰極として用いる場合は、仕事関数の絶対値が４．０ｅＶ以下の導電膜を設ける構成が特に好ましい。
【００４１】
仕事関数を調整するために他の金属を添加して用いることができる。例えばＬｉに代表されるアルカリ金属やＭｇの他、Ｃａに代表されるアルカリ土類金属を添加することにより、仕事関数の絶対値を小さくすることができる。
【００４２】
なお、可溶合金に他の導電膜を積層して本発明の一態様の発光素子の電極を構成する場合は、別の導電膜の厚さとしては数ｎｍから十数ｎｍ程度が好ましい。別の導電膜が１ｎｍ以下であると積層する構成の効果が得られず、十数ｎｍを越えると融点に達した可溶合金の流動を妨げてしまうからである。また、溶融した可溶合金とで新たな合金を形成し、流動するように、別の導電膜の組成を選択して構成してもよい。
【００４３】
また、グラフェン、ナノウイスカーなどを含む膜を可溶合金に積層して用いることもできる。
【００４４】
＜熱溶融性の有機組成物を含む層＞
発光素子１５０ａは第２の電極１０２に接して熱溶融性の有機組成物を含む層１０５を有する。熱溶融性の有機組成物を含む層１０５に用いることができる材料としては、絶縁性を有し、第２の電極１０２に含まれる可溶合金の融点において、流動性を有する組成物を挙げることができる。また、その融点は発光素子１５０ａを使用または保管する環境温度よりも高いことが望まれる。
【００４５】
なお、ここでいう流動性とは、熱溶融性の有機組成物が流れて移動する性質をいう。従って、熱溶融性の有機組成物全体が溶融して液状になるものであっても、固体状の粒子などが分散した液状になるものであっても、全体として流れて移動するものであればよい。
【００４６】
＜熱溶融性の有機組成物＞
本実施の形態で例示する発光素子に適用できる熱溶融性の有機組成物の融点は、具体的には１００℃以上２００℃より低く、様々な材料を利用できる。代表的にはロジン、ワックス及びアクリル樹脂から選ばれた一を含む有機組成物のうち、融点が１００℃以上高く２００℃より低くなるように調整されたものであれば用いることができる。なお、フラックス等を改質剤として添加して用いることもできる。
【００４７】
熱溶融性の有機組成物としては、様々な有機材料を用いることができる。具体的にはロジンとしては、水素添加ロジン、不均化ロジン、ロジンエステル、ロジン変性フェノール樹脂、ロジン変性マレイン酸樹脂、ロジン変性キシレン樹脂などをその例に挙げることができる。また、ワックスとしては、キャンデリラワックス、モンタンワックス、セレシンワックスなどの天然ワックス、パラフィンワックス、マイクロクリスタリンワックスなどの石油系ワックス、酸化ワックス、エステルワックスなどの合成ワックス、高級脂肪酸などをその例に挙げることができる。また、熱溶融性の樹脂としては、ポリスチレン、アクリル樹脂、メタクリル樹脂、スチレン−ブチルアクリル共重合体、スチレン−ブタジエン共重合体、ポリエステル、エポキシ樹脂、ポリプロピレンなどをその例に挙げることができる。
【００４８】
また、発光素子を使用または保管する環境温度において、熱溶融性の有機組成物が凝固した状態であると、発光素子に加わる力を分散することができ、保護膜として機能するため好ましい。
【００４９】
熱溶融性の有機組成物を含む層の厚さは可溶合金を含む電極の厚さより厚い。熱溶融性の有機組成物を含む層の厚さを厚くすることで、短絡性の不良が顕在化した際に発する熱で溶融した可溶合金を含む電極の表面を途切れることなく覆うことができ、可溶合金の表面が容易に収縮できるため好ましい。熱溶融性の有機組成物を含む層の厚さとしては、１μｍ以上５ｍｍ以下であり、１０μｍ以上２ｍｍ以下が特に好ましい。熱溶融性の有機組成物を含む層の厚さが薄すぎると可溶合金を含む電極の移動を妨げてしまい、厚すぎると発光素子全体が重くなってしまう。
【００５０】
＜顕在化した短絡性の不良を絶縁化する作用＞
次に、本発明の一態様の発光素子に顕在化した短絡性の不良が絶縁化される作用ついて、図３を用いて説明する。なお、図３に示す発光素子は、変形例１として後に図１（Ｂ）を用いて説明する発光素子１５０ｂと同じ構成を備える。また、図３はその発光素子の発光領域近傍の断面を拡大して図示したものである。但し、第１の電極１０１と第２の電極１０２の間に導電性の異物１９９が挟まれている点、すなわち短絡性の不良が存在する点が図１（Ｂ）記載の発光素子１５０ｂと異なる（図３（Ａ）参照）。
【００５１】
図３（Ａ）に例示する発光素子は可視光を透過する基板１００上に、可視光を透過する第１の電極１０１と、可溶合金を含む第２の電極１０２と、を備え、その間に発光性の有機化合物を含む層１０３を備える。また、該可溶合金を含む第２の電極１０２は熱溶融性の有機組成物を含む層１０５ｓと接している。加えて、該可溶合金の融点Ｔ２は該熱溶融性の有機組成物の融点Ｔ１より高く、且つ該発光性の有機化合物を含む層１０３が破壊してしまう温度Ｔ３より低い構成を有する。
【００５２】
当該発光素子の第１の電極１０１と第２の電極１０２の間に電力を供給すると、導電性の異物１９９に電流が集中する。そして、導電性の異物１９９に起因する短絡性の不良が発熱し、その熱がまず該熱溶融性の有機組成物を含む層１０５ｓを溶融する。導電性の異物１９９の近傍の熱溶融性の有機組成物を含む層１０５ｓが溶融し、溶融した有機組成物を含む層１０５ｍになる（図３（Ｂ）参照）。
【００５３】
次に、顕在化した短絡性の不良に電力が供給され続けることにより、導電性の異物１９９の近傍の温度がさらに上昇し、遂に第２の電極１０２に含まれる可溶合金の融点Ｔ２を越えると、可溶合金を含む第２の電極１０２が溶融する。
【００５４】
溶融した可溶合金を含む第２の電極１０２は、それに接する有機組成物を含む層に比べて表面張力が大きいため、その表面積を収縮しようとする。また、溶融した有機組成物を含む層１０５ｍは、すでに溶融されて流動性を増しているため、該可溶合金を含む電極が形態を変化する際に必要となる空間を提供できる状態となっている。
【００５５】
そして、溶融した可溶合金を含む電極がその表面張力により収縮しはじめ、短絡性の不良による温度の上昇が激しい部位に、ついには穿孔が生じる（図３（Ｃ））。溶融した可溶合金を含む電極は、溶融した有機組成物を含む層１０５ｍの一部とその場所が入れ替わりながら、温度が高く流動し易い場所から温度が低く凝固した領域に向かって後退する。なお、最も温度が激しく上昇する導電性の異物１９９近傍において穿孔が生じる結果、導電性の異物１９９への電力の供給が遮断される。
【００５６】
電力の供給が中断された結果、温度は下降に転じＴ２を下回ると可溶合金を含む第２の電極は凝固し、さらに温度がＴ１を下回ると、溶融した有機組成物を含む層１０５ｍは凝固し、熱溶融性の有機組成物を含む層１０５ｓになる。
【００５７】
このようにして、可溶合金を含む電極が後退した構成となる。その結果、短絡性の不良が顕在化した後において、電力が無駄に消費されない発光素子を提供できる。または、可溶合金を含む電極が後退した部位を熱溶融性の有機組成物が埋める構成となる。その結果、可溶合金が後退した部位に発光性の有機化合物を含む層１０３が露出した状態にはならず、発光性の有機化合物を含む層１０３が熱溶融性の有機組成物により保護された発光素子を提供できる。なぜなら、熱溶融性の組成物は発光性の有機化合物を含む層１０３への不純物の拡散を抑制し、また外部から有機化合物を含む層１０３に加わる応力を分散できるからである。
【００５８】
＜他の構成＞
なお、図１（Ａ）に例示する発光素子１５０ａは基板１００側に設けられた第１の電極１０１から光を取り出す下面射出型（ボトムエミッション型ともいう）の発光素子である。従って、基板１００及び第１の電極１０１は、発光性の有機化合物を含む層１０３が発する光を透過する材料を用いて構成する。
【００５９】
また、発光素子１５０ａの発光領域は隔壁１０４に囲まれた領域となる。隔壁１０４は発光素子１５０ａの第１の電極１０１と第２の電極１０２の間に設けられ、絶縁性とすることで発光領域の外側で互いが短絡するのを防止する。
【００６０】
また、発光素子１５０ａの発光性の有機化合物を含む層１０３は、少なくとも発光性の有機化合物を含む発光層を１つ以上備え、そのほかにも、正孔注入層、正孔輸送層、電子輸送層及び中間層などから選ばれた層を用いることができる。なお、発光性の有機化合物を含む層１０３の構成については、実施の形態３において詳細に説明することとし、本実施の形態では説明を省略する。
【００６１】
＜透光性を有する基板＞
本実施の形態で例示する発光素子に適用できる透光性を有する基板として、様々な材料を挙げる事ができる。代表的にはガラス基板の他、プラスチックなどの可撓性を有する合成樹脂からなる基板や膜も、大気に含まれる不純物が発光素子に拡散するのを防ぎ、且つ作製工程における処理温度に耐え得るものであれば、用いることができる。なお、ガスバリア性が水蒸気透過率として１０−５ｇ／ｍ２・ｄａｙ以下、好ましくは１０−６ｇ／ｍ２・ｄａｙ以下の材料を用いると、発光素子の信頼性を高めることができる。
【００６２】
例えば、青板ガラス、白板ガラス、鉛ガラス、強化ガラス、セラミックガラスなどのガラス板などから選択される材料を用いることができる。また、アルミノシリケート酸ガラス、バリウムホウケイ酸ガラス、アルミノホウケイ酸ガラスなどの無アルカリガラス基板、石英基板、セラミック基板などから選択される材料を用いることができる。
【００６３】
例えば、ポリエステル、ポリエチレンテレフタレート（ＰＥＴ）、ポリエーテルスルホン（ＰＥＳ）、ポリエチレンナフタレート（ＰＥＮ）、ポリカーボネート（ＰＣ）、ポリアミド系合成繊維、ポリエーテルエーテルケトン（ＰＥＥＫ）、ポリスルホン（ＰＳＦ）、ポリエーテルイミド（ＰＥＩ）、ポリアリレート（ＰＡＲ）、ポリブチレンテレフタレート（ＰＢＴ）、ポリイミド、アクリロニトリルブタジエンスチレン樹脂、ポリ塩化ビニル、ポリプロピレン、ポリ酢酸ビニル、アクリル樹脂などが挙げられる。特に、大気に含まれる不純物が発光素子に拡散するのを防ぐためのバリア膜が設けられている構成が好ましい。
【００６４】
また、上記の材料を貼り合わせた複合材料の他、ガラス繊維などと樹脂の複合材料なども用いることができる。
【００６５】
＜透光性を有する導電膜＞
本実施の形態で例示する発光素子に適用できる透光性を有する導電膜として、様々な材料を挙げる事ができる。代表的には酸化物半導体膜の他、導電性高分子膜なども作製工程における処理温度に耐え得るものであれば用いることができる。
【００６６】
例えば、酸化インジウム、インジウム錫酸化物（ＩＴＯ）、インジウム亜鉛酸化物、酸化亜鉛、ガリウムを添加した酸化亜鉛（ＧＺＯ）、アルミニウムを添加した酸化亜鉛（ＡＺＯ）等を含む導電膜などから選択される材料を用いることができる。
【００６７】
例えば、ポリアニリンまたはその誘導体、ポリピロールまたはその誘導体、ポリチオフェンまたはその誘導体（ＰＥＤＯＴなど）、若しくはこれらの２種以上の共重合体等の導電性高分子（導電性ポリマーともいう）を含む導電性組成物膜などから選択される材料を用いることができる。
【００６８】
また、上記の材料の他、グラフェン、ナノウイスカーなどを成膜して用いることもできる。
【００６９】
＜絶縁性の隔壁＞
本実施の形態で例示する発光素子に適用できる絶縁性の隔壁として、様々な絶縁性材料を用いた隔壁を挙げることができる。代表的には、有機樹脂の他、無機絶縁材料を用いることができる。
【００７０】
例えば、ポリイミド、アクリル樹脂、ポリアミド、エポキシ樹脂等などから選択される材料を用いることができる。また、感光性の樹脂材料を用いると、様々な形状の隔壁を形成できるため好ましい。
【００７１】
例えば、酸化珪素、窒化珪素、酸化窒化珪素、酸化アルミニウム等などから選択される材料を用いることができる。
【００７２】
また、第１の電極と第２の電極を絶縁するように有機樹脂と無機材料を組み合わせて用いることもできる。
【００７３】
隔壁の形状として、様々な形状を適用できる。代表的には、隣接する発光素子との間で発光性の有機化合物を含む層または／および第２の電極を分離するために段切れを引き起こす形状、またはこれらの層を連続するために段切れを防ぐ形状を適用できる。
【００７４】
例えば、段切れを引き起こす形状としては、隔壁の脚部より台部が基板面方向にせり出す形状、具体的には逆テーパー状やひさし状の形状等を用いることができる。
【００７５】
例えば、段切れを防ぐ形状としては、端部のテーパー角が１０度以上８５度以下好ましくは６０度以上８０度以下とする形状を適用できる。
【００７６】
＜封止材＞
本実施の形態で例示する発光素子に適用できる封止構造として、様々な構造を挙げることができる。代表的には、発光素子を囲むシール材を用いて、発光素子を設けた基板と封止基板の間に該発光素子を封止する構造や、封止膜を用いて発光素子を覆う構造を例に挙げることができる。封止基板や封止膜としては、大気に含まれる不純物が発光素子に拡散するのを防ぎ、且つ発光素子に損傷を与えない処理温度で作製できるものであれば用いることができる。なお、ガスバリア性が水蒸気透過率として１０−５ｇ／ｍ２・ｄａｙ以下、好ましくは１０−６ｇ／ｍ２・ｄａｙ以下の材料を用いると、信頼性が高い発光素子を提供できる。
【００７７】
例えば、封止基板としては、発光素子を支持する基板に用いることができる基板などから選択される材料の他、ガラス基板、金属基板、またはプラスチックなどの可撓性を有する合成樹脂も用いることができる。
【００７８】
例えば、封止膜としては、窒化珪素、酸化窒化アルミニウム、酸化アルミニウム、窒化アルミニウム、ダイヤモンドライクカーボン（ＤＬＣ）などから選択される無機絶縁膜を用いることができる。
【００７９】
また、上記から選択される材料を貼り合わせまたは積層した複合材料なども用いることができる。
【００８０】
＜変形例１＞
本発明の一態様の発光素子の別の態様を、図１（Ｂ）を用いて説明する。発光素子１５０ｂは図１（Ａ）に示す発光素子１５０ａと封止構造が異なる。具体的には、膜状の封止材１５９ｂが熱溶融性の有機組成物を含む層１０５を介して、可溶合金を含む第２の電極１０２ｂ上に設けられている。
【００８１】
膜状の封止材１５９ｂと可溶合金を含む第２の電極１０２ｂの間に熱溶融性の有機組成物を含む層１０５を設ける構成とすることで、短絡性の不良が顕在化した際に溶融した可溶合金を含む第２の電極１０２ｂが収縮し易くなる。対して、膜状の封止材１５９ｂを第２の電極１０２ｂに接して設けると、溶融した可溶合金を含む第２の電極１０２ｂの収縮が封止材１５９ｂに阻まれてしまう。それ故、熱溶融性の有機組成物を含む層１０５をそれらの間に設ける構成とすることで、可溶合金を含む電極が形態を変化する際に必要となる空間を提供できる。
【００８２】
＜変形例２＞
本発明の一態様の発光素子の別の態様を、図１（Ｃ）を用いて説明する。発光素子１５０ｃは図１（Ａ）に示す発光素子１５０ａと発光の射出方向が異なる。具体的には、第２の電極１０２ｃが透光性を有する導電膜を用いて形成され、封止材１５９ｃも透光性を有している。また、それに伴い第１の電極１０１ｃが可溶合金を含み、第１の電極１０１ｃと基板１００ｃの間に熱溶融性の有機組成物を含む層１０５ｃが設けられた構成となっている。
【００８３】
基板１００ｃと可溶合金を含む第１の電極１０１ｃの間に熱溶融性の有機組成物を含む層１０５ｃを設ける構成とすることで、短絡性の不良が顕在化した際に溶融した可溶合金を含む第１の電極１０１ｃが収縮し易くなる。対して、基板１００ｃを第１の電極１０１ｃに接して設けると、溶融した可溶合金を含む第１の電極１０１ｃの収縮が基板１００ｃに阻まれてしまう。それ故、熱溶融性の有機組成物を含む層１０５ｃをその間に設ける構成とすることで、可溶合金を含む電極が形態を変化する際に必要となる空間を提供できる。
【００８４】
＜変形例３＞
本発明の一態様の発光素子が複数設けられた発光パネルも本発明の一態様に含まれる。本発明の一態様の発光パネルの態様を、図２を用いて説明する。図２（Ａ）は発光パネルの上面図であり、図２（Ｂ）は、図２（Ａ）に示す切断線Ａ−Ｂにおける断面図である。
【００８５】
発光パネル２５０は５行３列に配置された複数の発光素子を含む。発光パネル２５０は３列に配置された第１の電極群２０１と、４行に配置された第２の電極群２０２を備える。第１の端子群２５１は第１の電極群２０１のそれぞれに設けられた取り出し端子を含み、第２の端子群２５２は第２の電極群２０２のそれぞれに設けられた取り出し端子を含んでいる。また、第１の電極群２０１と第２の電極群２０２が交差して重なる部分のそれぞれに設けられた隔壁２０４の開口部と接して、発光性の有機化合物を含む層２０３が設けられている。
【００８６】
本実施の形態で例示する発光パネルは所謂パッシブ型の発光パネルである。第１の端子群２５１から一の端子を選び、第２の端子群２５２から一の端子を選んで、発光素子の発光開始電圧以上の電圧を順方向に印加して、両者が交差する部分の発光素子を選択的に点灯できる。パッシブ型の発光パネルは、画像信号に応じて交差する部分の発光素子を点灯して画像を表示できる。
【００８７】
短絡性の不良が生じて素子全体が発光しなくなると、発光パネルにおいて点欠となり、画像を正常に表示できなくなってしまう。しかし、本発明の一態様の発光素子は発光素子内に生じた短絡性の不良箇所のみが絶縁化されるため、短絡性の不良が生じても発光素子の不良箇所以外で発光しなくなることがない。また、顕在化した不良箇所が発する熱が、隣接する他の発光素子を破壊してしまうこともない。
【００８８】
また、本実施の形態で例示する発光パネルは同時に複数の発光素子を点灯することができる。このとき、発光素子は並列接続されているということができる。
【００８９】
並列接続された発光素子の一に短絡性の不良が顕在化すると、当該顕在化した不良に電流が集中し、他の発光素子に電流が流れにくくなる。その結果、電力が無駄に消費されてしまうだけでなく、発光パネル全体の明るさが低下してしまう。しかし、本発明の一態様の発光素子は発光素子内に生じた短絡性の不良箇所のみが絶縁化されるため、短絡性の不良が生じても電力が無駄に消費されず、発光パネル全体の明るさが低下することがない。また、顕在化した不良箇所が発する熱が、隣接する他の発光素子を破壊してしまうこともない。
【００９０】
上記本発明の一態様の発光素子は、可溶合金を含む電極と、可視光を透過する電極との間に発光性の有機化合物を含む層を備え、該可溶合金を含む電極は熱溶融性の有機組成物を含む層と接している。加えて、該可溶合金の融点は該熱溶融性の有機組成物の融点より高く、且つ該発光性の有機化合物を含む層が破壊してしまう温度より低い構成を有する。
【００９１】
これにより、該発光素子に含まれる短絡性の不良が顕在化した際に発する熱が発光性の有機化合物を含む層を破壊してしまう前に、まず該熱溶融性の有機組成物を含む層が溶融され、次いで可溶合金を含む電極が溶融される。
【００９２】
そして、溶融した可溶合金を含む電極が収縮しはじめ、ついには短絡性の不良による温度の上昇が激しい部位に穿孔を生じ、該短絡性の不良への電力の供給が遮断される。また、溶融した可溶合金を含む電極は、温度が高く流動し易い場所から温度が低く凝固した領域に向かって後退する。そして、可溶合金に生じた孔に溶融した熱溶融性の有機組成物を含む層が流れ込み、その孔を埋める。このようにして、短絡性の不良が解消され且つ熱溶融性の有機組成物が可溶合金を含む電極が後退した部位を埋める構成に至る。
【００９３】
その結果、本発明の一態様によれば、短絡性の不良が顕在化しても電力が無駄に消費されない発光素子を提供できる。または、短絡性の不良が顕在化して隣接して設けられた他の発光素子の信頼性が損なわれることがない発光パネルを提供できる。
【００９４】
なお、本実施の形態は、本明細書で示す他の実施の形態と適宜組み合わせることができる。
【００９５】
（実施の形態２）
本実施の形態では、可溶合金を含む電極と可視光を透過する電極との間に発光性の有機化合物を含む層を備え、該可溶合金を含む電極は熱溶融性の有機組成物を含む層と接し、且つ該可溶合金の融点は該熱溶融性の有機組成物の融点より高く、また該発光性の有機化合物を含む層が破壊してしまう温度より低い構成を備える発光素子の作製方法について図４を参照して説明する。
【００９６】
本発明の一態様の発光素子の作製方法を図４に示す。図４に例示する発光素子の作製方法は、実施の形態１で例示した発光素子１５０ｂの作製方法の一例である。
【００９７】
＜第１の電極の作製方法＞
透光性を有する基板上に透光性を有する導電膜を形成する。透光性を有する基板及び透光性を有する導電膜としては、実施の形態１で例示した様々な材料を用いることができる。透光性を有する導電膜の成膜方法としては、その材料に適した方法を選択して用いれば良く、例えばスパッタリング法やコーティング法を用いることができる。
【００９８】
次いで、透光性を有する導電膜の不要な部分を除去する。不要な部分を除去する方法としては、例えばレジストマスクを用いて、選択的にエッチングにより除去する方法が適用できる。なお、選択的に導電膜を成膜する方法を用いれば、様々な形状の導電膜を、フォトレジスト等を用いることなく形成でき、便利である。選択的に導電膜を成膜する方法としては、例えばマスクスパッタ法、印刷法またはインクジェット法などが挙げられる。
【００９９】
本実施の形態では透光性を有する無アルカリガラス基板を基板１００として用い、透光性を有する導電膜としてインジウム錫酸化物（ＩＴＯ）膜をその上に形成する。基板１００の厚さは０．７ｍｍ、導電膜は例えばスパッタリング法を用いて１１０ｎｍの厚さで成膜する。また、フォトレジストを用いて第１の電極１０１、第１の端子１５１及び第２の端子１５２を形成する。
【０１００】
＜隔壁の作製方法＞
次いで、第１の電極１０１上に開口部を有する隔壁１０４を形成する。隔壁１０４としては、実施の形態１で例示した様々な材料を用いることができる。隔壁１０４の作製方法としては、その材料に適した方法を選択して用いればよく、例えばコーティング法やスパッタリング法により連続した膜を成膜し、フォトレジストを用いて、選択的にエッチングにより除去して開口部を形成する方法が適用できる。なお、感光性の材料を用いて隔壁を形成するとフォトマスクを用いた開口部の形成が容易であるだけでなく、ポジ型またはネガ型の選択および露光条件の調整により、開口部の端部の形状やテーパー角を調整できるため好ましい。
【０１０１】
本実施の形態ではポジ型のポリイミドを用いて端部のテーパー角が６０度以上８０度以下となるように形成する。
【０１０２】
＜発光性の有機化合物を含む層の作製方法＞
次いで、隔壁１０４の開口部を介して、第１の電極１０１を覆って発光性の有機化合物を含む層１０３を形成する。発光性の有機化合物を含む層１０３の構成については、実施の形態３において詳細に説明することとし、本実施の形態では説明を省略する。発光性の有機化合物を含む層１０３の作製方法としては、その材料に適した方法を選択して用いればよく、例えば真空蒸着法などの乾式法や、コーティング法、印刷法およびインクジェット法などの湿式法が適用できる。なお、発光性の有機化合物を含む層を形成する前に、前処理として第１の電極１０１と隔壁１０４が形成された基板１００を真空中で加熱処理し、不純物を除去しておくことが望ましい。基板に吸着した水分等の不純物が発光素子の信頼性を損ねるためである。
【０１０３】
＜可溶合金を含む電極の作製方法＞
次いで、発光性の有機化合物を含む層１０３上であって、少なくとも隔壁１０４の開口部と重なる位置に、第２の電極１０２として可溶合金を含む電極を形成する。可溶合金を含む層の作製方法としては、その材料に適した方法を選択して用いればよく、例えば真空蒸着法を用いることができる。
【０１０４】
なお、可溶合金を含む電極は共蒸着法を用いて形成するのが好ましい。可溶合金の融点はその組成に依存するため、共蒸着法を用いるとその組成の調整が容易である。
【０１０５】
また、可溶合金を含む電極に組成が異なる領域を設ける場合は、材料を変えて逐次蒸着すればよい。例えば、キャリア注入性の良い材料を発光性の有機化合物を含む層１０３に接する側に蒸着した後に、可溶合金を蒸着してもよいし、可溶合金の内部、または一方の面若しくは両方の面に接して電気抵抗が低い層を設けても良い。
【０１０６】
本実施の形態では、インジウム（Ｉｎ）用の蒸着源と、スズ（Ｓｎ）用の蒸着源と、銀（Ａｇ）用の蒸着源と、を用いて、Ｉｎ：Ｓｎ：Ａｇの重量比が９５：２：３になるように共蒸着することにより、可溶合金を含む第２の電極１０２を形成できる（図４（Ａ）参照）。
【０１０７】
＜熱溶融性の有機組成物を含む層の作製方法＞
次いで、可溶合金を含む第２の電極１０２上に熱溶融性の有機組成物を含む層１０５を形成する。熱溶融性の有機組成物を含む層１０５の作製方法としては、その材料に適した方法を選択して用いればよく、例えば、貼り合わせ法、コーティング法、真空蒸着法等を用いることができる。特に、熱溶融性の有機組成物は加熱により流動性を発現するため、加熱した熱溶融性の有機組成物をインクジェット法や、スプレー法を用いて可溶合金を含む電極上に吹き付けて成膜できる。可溶合金を含む電極より表面張力が小さい熱溶融性の有機組成物は、可溶合金を含む電極の表面を途切れることなく覆うことができる。
【０１０８】
なお、貼り合わせ法とは、例えば熱溶融性の有機組成物を含む層が成膜された工程紙を、該熱溶融性の有機組成物を含む層が接するように可溶合金を含む層に貼り合わせ、可溶合金を含む層上に熱溶融性の有機組成物を含む層を積層する方法である。貼り合わせ法を用いると、発光素子を作製する工程と、熱溶融性の有機組成物を膜状に形成する工程を分けて、それぞれの工程を最適化できるため便利である。
【０１０９】
また、貼り合わせた後に発光素子を加熱し、熱溶融性の有機組成物を含む層のみ溶融し、該熱溶融性の有機組成物を含む層と可溶合金を含む層の密着性を高めても良い。密着性を高めることで、顕在化した短絡性の欠陥が発する熱が熱溶融性の有機組成物を含む層に伝わり易くなり、溶融が速やかに進行する。
【０１１０】
なお、該工程紙は貼り合わせた後に取り除いても良いし、そのまま発光素子と共に封止してもよい。発光素子と共に封止することで、発光素子の保護材として機能する。
【０１１１】
本実施の形態では、厚さ１００μｍのパラフィンワックスを成膜したポリエステル製の工程紙を用い、成膜されたパラフィンワックスが可溶合金を含む第２の電極１０２に接するように貼り合わせる。次いで、工程紙を剥離して、パラフィンワックスからなる熱溶融性の有機組成物を含む層１０５を形成する（図４（Ｂ）参照）。
【０１１２】
＜封止材の作製方法＞
次いで、熱溶融性の有機組成物を含む層１０５上に封止材１５９ｂを形成する。封止材１５９ｂとしては実施の形態１で例示した様々な材料を用いることができる。封止材１５９ｂの作製方法としては、その材料に適した方法を選択して用いればよく、例えば、スパッタ法、ＣＶＤ法、コーティング法、貼り合わせ法等を用いることができる。
【０１１３】
本実施の形態では、封止材１５９ｂとして、イオンプレーティング法を用いて形成した厚さ１００ｎｍの窒化酸化珪素膜を封止領域の内側に備える厚さ５０ｎｍのポリエチレンナフタレート（ＰＥＮ）フィルムを用いる。なお、封止領域は発光素子を囲むように設けられ、シール材との接着性が高められている。シール材としては例えば、エポキシ樹脂系の接着剤を用いることができる。
【０１１４】
上記本発明の一態様の発光素子の作製方法によれば、可溶合金を含む電極と、可視光を透過する電極との間に発光性の有機化合物を含む層を備え、該可溶合金を含む電極は熱溶融性の有機組成物を含む層と接している。加えて、該可溶合金の融点は該熱溶融性の有機組成物の融点より高く、且つ該発光性の有機化合物を含む層が破壊してしまう温度より低い構成を有する発光素子を提供できる。
【０１１５】
これにより、該発光素子に含まれる短絡性の不良が顕在化した際に発する熱が発光性の有機化合物を含む層を破壊してしまう前に、まず該熱溶融性の有機組成物を含む層が溶融され、次いで可溶合金を含む電極が溶融される。
【０１１６】
そして、溶融した可溶合金を含む電極が収縮しはじめ、ついには短絡性の不良による温度の上昇が激しい部位に穿孔を生じ、該短絡性の不良への電力の供給が中断される。また、溶融した可溶合金を含む電極は、温度が高く流動し易い場所から温度が低く凝固した領域に向かって後退する。そして、可溶合金に生じた孔に溶融した熱溶融性の有機組成物を含む層が流れ込み、その孔を埋める。このようにして、短絡性の不良が解消され且つ熱溶融性の有機組成物が可溶合金を含む電極が後退した部位を埋める構成に至る。
【０１１７】
その結果、本発明の一態様によれば、短絡性の不良が顕在化しても電力が無駄に消費されない発光素子を提供できる。または、短絡性の不良が顕在化して隣接して設けられた他の発光素子の信頼性が損なわれることがない発光パネルを提供できる。
【０１１８】
なお、本実施の形態は、本明細書で示す他の実施の形態と適宜組み合わせることができる。
【０１１９】
（実施の形態３）
本実施の形態では、可溶合金を含む電極と可視光を透過する電極との間に発光性の有機化合物を含む層を備え、該可溶合金を含む電極は熱溶融性の有機組成物を含む層と接し、且つ該可溶合金の融点は該熱溶融性の有機組成物の融点より高く、また該発光性の有機化合物を含む層が破壊してしまう温度より低い構成を備える発光素子に用いることができる発光性の有機化合物を含む層１０３の構成の一例について図５及び図６を参照して説明する。
【０１２０】
本実施の形態で例示する発光素子は、第１の電極、第２の電極及び第１の電極と第２の電極の間に発光性の有機化合物を含む層（以下ＥＬ層という）を備える。第１の電極または第２の電極のいずれか一方は陽極、他方が陰極として機能する。ＥＬ層は第１の電極と第２の電極の間に設けられ、該ＥＬ層の構成は第１の電極と第２の電極の材質に合わせて適宜選択すればよい。また、第１の電極と第２の電極の少なくとも一方は可溶合金を含み、他方は可視光を透過する。以下に発光素子の構成の一例を例示するが、発光素子の構成がこれに限定されないことはいうまでもない。
【０１２１】
＜発光素子の構成例１．＞
発光素子の構成の一例を図５（Ａ）に示す。図５（Ａ）に示す発光素子は、陽極１１０１と陰極１１０２の間にＥＬ層１１０３が挟まれている。
【０１２２】
陽極１１０１と陰極１１０２の間に、発光素子の閾値電圧より高い電圧を印加すると、ＥＬ層１１０３に陽極１１０１の側からホールが注入され、陰極１１０２の側から電子が注入される。注入された電子とホールはＥＬ層１１０３において再結合し、ＥＬ層１１０３に含まれる発光物質が発光する。
【０１２３】
ＥＬ層１１０３は、少なくとも発光物質を含む発光層を備えていればよく、発光層以外の層と積層された構造であっても良い。発光層以外の層としては、例えばホール注入性の高い物質、ホール輸送性の高い物質、ホール輸送性に乏しい（ブロッキングする）物質、電子輸送性の高い物質、電子注入性の高い物質、並びにバイポーラ性（電子及びホールの輸送性の高い）の物質等を含む層が挙げられる。
【０１２４】
ＥＬ層１１０３の具体的な構成の一例を図５（Ｂ）に示す。図５（Ｂ）に示すＥＬ層１１０３は、ホール注入層１１１３、ホール輸送層１１１４、発光層１１１５、電子輸送層１１１６、並びに電子注入層１１１７が陽極１１０１側からこの順に積層されている。
【０１２５】
＜発光素子の構成例２．＞
発光素子の構成の他の一例を図５（Ｃ）に示す。図５（Ｃ）に例示する発光素子は、陽極１１０１と陰極１１０２の間にＥＬ層１１０３が挟まれている。さらに、陰極１１０２とＥＬ層１１０３との間には中間層１１０４が設けられている。なお、当該発光素子の構成例２のＥＬ層１１０３には、上述の発光素子の構成例１と同様の構成が適用可能であり、詳細については、発光素子の構成例１の記載を参酌できる。
【０１２６】
中間層１１０４は少なくとも電荷発生領域を含んで形成されていればよく、電荷発生領域以外の層と積層された構成であってもよい。例えば、第１の電荷発生領域１１０４ｃ、電子リレー層１１０４ｂ、及び電子注入バッファー１１０４ａが陰極１１０２側から順次積層された構造を適用することができる。
【０１２７】
中間層１１０４における電子とホールの挙動について説明する。陽極１１０１と陰極１１０２の間に、発光素子の閾値電圧より高い電圧を印加すると、第１の電荷発生領域１１０４ｃにおいて、ホールと電子が発生し、ホールは陰極１１０２へ移動し、電子は電子リレー層１１０４ｂへ移動する。電子リレー層１１０４ｂは電子輸送性が高く、第１の電荷発生領域１１０４ｃで生じた電子を電子注入バッファー１１０４ａに速やかに受け渡す。電子注入バッファー１１０４ａはＥＬ層１１０３に電子を注入する障壁を緩和し、ＥＬ層１１０３への電子注入効率を高める。従って、第１の電荷発生領域１１０４ｃで発生した電子は、電子リレー層１１０４ｂと電子注入バッファー１１０４ａを経て、ＥＬ層１１０３のＬＵＭＯ準位に注入される。
【０１２８】
また、電子リレー層１１０４ｂは、第１の電荷発生領域１１０４ｃを構成する物質と電子注入バッファー１１０４ａを構成する物質が界面で反応し、互いの機能が損なわれてしまう等の相互作用を防ぐことができる。
【０１２９】
発光素子の構成例２の陰極に用いることができる材料の選択の幅は、構成例１の陰極に用いることができる材料の選択の幅に比べて、広い。なぜなら、構成例２の陰極は中間層が発生する正孔を受け取ればよく、仕事関数が比較的大きな材料を適用できるからである。
【０１３０】
本発明の一態様においては、融点から組成が決定される可溶合金を一方の電極に用いる。しかし、当該電極の仕事関数は必ずしも発光素子の構成に適した範囲にあるとは限らない。例えば、可溶合金を陰極として用いる場合、その仕事関数の絶対値は４．０ｅＶより小さい方が好ましいが、構成する金属の多くが大きな仕事関数を有するため、可溶合金の仕事関数の絶対値は４．０ｅＶより大きくなる場合がある。具体的には、可溶合金に用いることができる金属の一例を、その仕事関数と共に以下に例示する。ビスマス（Ｂｉ）４．３４ｅＶ、インジウム（Ｉｎ）４．０９ｅＶ、鉛（Ｐｂ）４．２５ｅＶ、スズ（Ｓｎ）４．４２ｅＶ、亜鉛（Ｚｎ）３．６３ｅＶ、銀（Ａｇ）４．５２−４．７４ｅＶ、銅（Ｃｕ）４．５３−５．１０ｅＶ、アンチモン（Ｓｂ）４．５５−４．７ｅＶ。
【０１３１】
しかし、構成例２の陰極は中間層が発生する正孔を受け取ればよいため、このように仕事関数の絶対値が４．０ｅＶ以上の金属を含む可溶合金を陰極に用いることができる。
【０１３２】
＜発光素子の構成例３．＞
発光素子の構成の他の一例を図６（Ａ）に示す。図６（Ａ）に例示する発光素子は、陽極１１０１と陰極１１０２の間にＥＬ層が２つ設けられている。さらに、ＥＬ層１１０３ａと、ＥＬ層１１０３ｂとの間には中間層１１０４が設けられている。
【０１３３】
なお、陽極と陰極の間に設けるＥＬ層は２つに限定されない。図６（Ｂ）に例示する発光素子は、ＥＬ層１１０３が複数積層された構造、所謂、積層型素子の構成を備える。但し、例えば陽極と陰極の間にｎ（ｎは２以上の自然数）層のＥＬ層１１０３を設ける場合には、ｍ（ｍは自然数、１以上（ｎ−１）以下）番目のＥＬ層と、（ｍ＋１）番目のＥＬ層との間に、それぞれ中間層１１０４を設ける構成とする。
【０１３４】
また、当該発光素子の構成例３のＥＬ層１１０３ａ及び１１０３ｂには、上述の発光素子の構成例１と同様の構成を適用することが可能であり、また当該発光素子の構成例３の中間層１１０４には、上述の発光素子の構成例２と同様の構成が適用可能である。よって、詳細については、発光素子の構成例１、または発光素子の構成例２の記載を参酌できる。
【０１３５】
ＥＬ層の間に設けられた中間層１１０４における電子とホールの挙動について説明する。陽極１１０１と陰極１１０２の間に、発光素子の閾値電圧より高い電圧を印加すると、中間層１１０４においてホールと電子が発生し、ホールは陰極１１０２側に設けられたＥＬ層へ移動し、電子は陽極側に設けられたＥＬ層へ移動する。陰極側に設けられたＥＬ層に注入されたホールは、陰極側から注入された電子と再結合し、当該ＥＬ層に含まれる発光物質が発光する。また、陽極側に設けられたＥＬ層に注入された電子は、陽極側から注入されたホールと再結合し、当該ＥＬ層に含まれる発光物質が発光する。よって、中間層１１０４において発生したホールと電子は、それぞれ異なるＥＬ層において発光に至る。
【０１３６】
なお、ＥＬ層同士を接して設けることで、両者の間に中間層と同じ構成が形成される場合は、ＥＬ層同士を接して設けることができる。具体的には、ＥＬ層の一方の面に電荷発生領域が形成されていると、当該電荷発生領域は中間層の第１の電荷発生領域として機能するため、ＥＬ層同士を接して設けることができる。
【０１３７】
発光素子の構成例１乃至構成例３は、互いに組み合わせて用いることができる。例えば、発光素子の構成例３の陰極とＥＬ層の間に中間層を設けることもできる。
【０１３８】
（実施の形態４）
本実施の形態では、可溶合金を含む電極と可視光を透過する電極との間に発光性の有機化合物を含む層を備え、該可溶合金を含む電極は熱溶融性の有機組成物を含む層と接し、且つ該可溶合金の融点は該熱溶融性の有機組成物の融点より高く、また該発光性の有機化合物を含む層が破壊してしまう温度より低い構成を備える発光素子を用いた発光装置について図７及び図８を用いて説明する。
【０１３９】
＜アクティブマトリクス型の発光装置＞
アクティブマトリクス型の発光装置に適用した場合の構成を図７に示す。なお、図７（Ａ）は、発光装置の上面図、図７（Ｂ）は図７（Ａ）をＡ−Ｂ及びＣ−Ｄで切断した断面図である。
【０１４０】
アクティブマトリクス型の発光装置１４００は、駆動回路部（ソース側駆動回路）１４０１、画素部１４０２、駆動回路部（ゲート側駆動回路）１４０３、封止基板１４０４、シール材１４０５を備える（図７（Ａ）参照）。なお、シール材１４０５で囲まれた内側は、空間になっている。
【０１４１】
発光装置１４００は外部入力端子となるＦＰＣ（フレキシブルプリントサーキット）１４０９を介して、ビデオ信号、クロック信号、スタート信号、リセット信号等を受け取る。なお、ここではＦＰＣしか図示されていないが、ＦＰＣにはプリント配線基板（ＰＷＢ）が取り付けられていても良い。本明細書における発光装置には、発光装置本体だけでなく、それにＦＰＣ又はＰＷＢが取り付けられた状態をも含むものとする。
【０１４２】
次に、発光装置１４００の構成について図７（Ｂ）に示す断面図を用いて説明する。発光装置１４００は、素子基板１４１０上に図示されたソース側駆動回路１４０１を含む駆動回路部及び、図示された画素を含む画素部１４０２を備える。また、ソース側駆動回路１４０１及びゲート側駆動回路１４０３に入力される信号を伝送するための引き回し配線１４０８を備える。
【０１４３】
なお、本実施の形態ではソース側駆動回路１４０１がｎチャネル型ＴＦＴ１４２３とｐチャネル型ＴＦＴ１４２４とを組み合わせたＣＭＯＳ回路を含む構成について例示するが、駆動回路はこの構成に限定されず、種々のＣＭＯＳ回路、ＰＭＯＳ回路又はＮＭＯＳ回路で構成しても良い。また、本実施の形態では、基板上に駆動回路を形成したドライバ一体型を示すが、必ずしもその必要はなく、駆動回路を基板上ではなく外部に形成することもできる。
【０１４４】
また、画素部１４０２はスイッチング用ＴＦＴ１４１１と、電流制御用ＴＦＴ１４１２とそのドレインに電気的に接続された第１の電極１４１３とを含む複数の画素により形成される。なお、隔壁１４１４が第１の電極１４１３の端部を覆って形成されている。ここでは、ポジ型の感光性アクリル樹脂膜を用いることにより形成する。
【０１４５】
また、隔壁１４１４の上端部又は下端部には、曲率を有する曲面が形成されるようにする。例えば、隔壁１４１４の材料としてポジ型の感光性アクリルを用いた場合、隔壁１４１４の上端部のみに曲率半径（０．２μｍ〜３μｍ）を有する曲面を持たせることが好ましい。また、隔壁１４１４として、光の照射によってエッチャントに不溶解性となるネガ型、或いは光の照射によってエッチャントに溶解性となるポジ型のいずれも使用することができる。
【０１４６】
発光装置１４００は、第１の電極１４１３上に第２の電極１４１７を有し、第１の電極１４１３と第２の電極１４１７の間に発光層１４１６を備える。また、第２の電極１４１７に接して熱溶融性の有機組成物を含む層１４１５が設けられ、発光素子１４１８を構成している。発光素子１４１８の構成としては、例えば実施の形態１で例示した構成を適用できる。
【０１４７】
本実施の形態で例示する発光装置１４００は、素子基板１４１０、封止基板１４０４、及びシール材１４０５で囲まれた空間１４０７に発光素子１４１８を封止する構造になっている。なお、空間１４０７には、充填材が充填されており、不活性気体（窒素やアルゴン等）が充填される場合の他、シール材１４０５で充填される場合もある。また、乾燥剤など不純物の吸着材を設けても良い。
【０１４８】
シール材１４０５及び封止基板１４０４は、大気中の不純物（例えば水分や酸素）をできるだけ透過しない材料であることが望ましい。封止基板１４０４に用いる材料としては、ガラス基板や石英基板の他、ＦＲＰ（Ｆｉｂｅｒｇｌａｓｓ−Ｒｅｉｎｆｏｒｃｅｄ  Ｐｌａｓｔｉｃｓ）、ＰＶＦ（ポリビニルフロライド）、ポリエステル又はアクリル等からなるプラスチック基板をその例に挙げることができ、シール材１４０５には代表的にはエポキシ系樹脂を用いるのが好ましい。
【０１４９】
上述した本発明の一態様のアクティブマトリクス型の発光装置は、可溶合金を含む電極と可視光を透過する電極との間に発光性の有機化合物を含む層を備え、該可溶合金を含む電極は熱溶融性の有機組成物を含む層と接し、且つ該可溶合金の融点は該熱溶融性の有機組成物の融点より高く、また該発光性の有機化合物を含む層が破壊してしまう温度より低い構成を備える発光素子が適用された構成を有する。これにより、短絡性の不良が顕在化しても電力が無駄に消費されない発光装置を提供できる。
【０１５０】
＜パッシブマトリクス型の発光装置＞
次に、パッシブマトリクス型の発光装置に適用した場合の構成を図８に示す。なお、図８（Ａ）は、発光装置を示す斜視図、図８（Ｂ）は図８（Ａ）をＸ−Ｙで切断した断面図である。
【０１５１】
パッシブマトリクス型の発光装置１５００は、基板１５０１上に第１の電極１５０２を備える。また、絶縁層１５０５が第１の電極１５０２の端部を覆って設けられており、隔壁層１５０６が絶縁層１５０５上に設けられている。
【０１５２】
発光装置１５００は、第１の電極１５０２上に第２の電極１５０３を有し、第１の電極１５０２と第２の電極１５０３の間に発光層１５０４を備える。また、第２の電極１５０３に接して熱溶融性の有機組成物を含む層１５０７が設けられ、発光素子を構成している。発光素子の構成としては、例えば実施の形態１で例示した構成を適用できる。なお、本実施の形態で例示する熱溶融性の有機組成物を含む層１５０７は、加熱して流動性を持たせた熱溶融性の有機組成物を、インクジェット法を用いて第２の電極１５０３上に吹き付けて成膜した。第２の電極１５０３より表面張力が小さい熱溶融性の有機組成物は、第２の電極１５０３の表面を途切れることなく覆うことができる。
【０１５３】
隔壁層１５０６の側壁は、基板面に近くなるに伴って、一方の側壁と他方の側壁との間隔が狭くなるような傾斜を有する。つまり、隔壁層１５０６の短辺方向の断面は、台形状であり、底辺（絶縁層１５０５の面方向と同様の方向を向き、絶縁層１５０５と接する辺）の方が上辺（絶縁層１５０５の面方向と同様の方向を向き、絶縁層１５０５と接しない辺）よりも短い。このように、隔壁層１５０６を設けることで、クロストーク等に起因した発光素子の不良を防ぐことができる。
【０１５４】
上述した本発明の一態様のパッシブマトリクス型の発光装置は、可溶合金を含む電極と可視光を透過する電極との間に発光性の有機化合物を含む層を備え、該可溶合金を含む電極は熱溶融性の有機組成物を含む層と接し、且つ該可溶合金の融点は該熱溶融性の有機組成物の融点より高く、また該発光性の有機化合物を含む層が破壊してしまう温度より低い構成を備える発光素子が適用された構成を有する。これにより、短絡性の不良が顕在化しても電力が無駄に消費されない発光装置を提供できる。
【０１５５】
なお、本実施の形態は、他の実施の形態と適宜組み合わせることが可能である。
【０１５６】
（実施の形態５）
本実施の形態では、本発明の一態様の発光素子を搭載した発光装置の一例について、図９を用いて説明する。具体的には照明に用いる発光装置（電子機器）について説明する。
【０１５７】
発光装置を適用した電子機器として、例えば、テレビジョン装置（テレビ、又はテレビジョン受信機ともいう）、コンピュータ用などのモニタ、デジタルカメラ、デジタルビデオカメラ、デジタルフォトフレーム、携帯電話機（携帯電話、携帯電話装置ともいう）、携帯型ゲーム機、携帯情報端末、音響再生装置、パチンコ機などの大型ゲーム機などが挙げられる。これらの電子機器の具体例を図９に示す。
【０１５８】
図９（Ａ）は、テレビジョン装置の一例を示している。テレビジョン装置７１００は、筐体７１０１に表示部７１０３が組み込まれている。表示部７１０３により、映像を表示することが可能であり、発光装置を表示部７１０３に用いることができる。また、ここでは、スタンド７１０５により筐体７１０１を支持した構成を示している。
【０１５９】
テレビジョン装置７１００の操作は、筐体７１０１が備える操作スイッチや、別体のリモコン操作機７１１０により行うことができる。リモコン操作機７１１０が備える操作キー７１０９により、チャンネルや音量の操作を行うことができ、表示部７１０３に表示される映像を操作することができる。また、リモコン操作機７１１０に、当該リモコン操作機７１１０から出力する情報を表示する表示部７１０７を設ける構成としてもよい。
【０１６０】
なお、テレビジョン装置７１００は、受信機やモデムなどを備えた構成とする。受信機により一般のテレビ放送の受信を行うことができ、さらにモデムを介して有線又は無線による通信ネットワークに接続することにより、一方向（送信者から受信者）又は双方向（送信者と受信者間、あるいは受信者間同士など）の情報通信を行うことも可能である。
【０１６１】
図９（Ｂ）はコンピュータであり、本体７２０１、筐体７２０２、表示部７２０３、キーボード７２０４、外部接続ポート７２０５、ポインティングデバイス７２０６等を含む。なお、コンピュータは、発光装置をその表示部７２０３に用いることにより作製される。
【０１６２】
図９（Ｃ）は携帯型遊技機であり、筐体７３０１と筐体７３０２の２つの筐体で構成されており、連結部７３０３により、開閉可能に連結されている。筐体７３０１には表示部７３０４が組み込まれ、筐体７３０２には表示部７３０５が組み込まれている。また、図９（Ｃ）に示す携帯型遊技機は、その他、スピーカ部７３０６、記録媒体挿入部７３０７、ＬＥＤランプ７３０８、入力手段（操作キー７３０９、接続端子７３１０、センサ７３１１（力、変位、位置、速度、加速度、角速度、回転数、距離、光、液、磁気、温度、化学物質、音声、時間、硬度、電場、電流、電圧、電力、放射線、流量、湿度、傾度、振動、におい又は赤外線を測定する機能を含むもの）、マイクロフォン７３１２）等を備えている。もちろん、携帯型遊技機の構成は上述のものに限定されず、少なくとも表示部７３０４および表示部７３０５の両方、又は一方に発光装置を用いていればよく、その他付属設備が適宜設けられた構成とすることができる。図９（Ｃ）に示す携帯型遊技機は、記録媒体に記録されているプログラム又はデータを読み出して表示部に表示する機能や、他の携帯型遊技機と無線通信を行って情報を共有する機能を有する。なお、図９（Ｃ）に示す携帯型遊技機が有する機能はこれに限定されず、様々な機能を有することができる。
【０１６３】
図９（Ｄ）は、携帯電話機の一例を示している。携帯電話機７４００は、筐体７４０１に組み込まれた表示部７４０２の他、操作ボタン７４０３、外部接続ポート７４０４、スピーカ７４０５、マイク７４０６などを備えている。なお、携帯電話機７４００は、発光装置を表示部７４０２に用いることにより作製される。
【０１６４】
図９（Ｄ）に示す携帯電話機７４００は、表示部７４０２を指などで触れることで、情報を入力することができる。また、電話を掛ける、或いはメールを作成するなどの操作は、表示部７４０２を指などで触れることにより行うことができる。
【０１６５】
表示部７４０２の画面は主として３つのモードがある。第１は、画像の表示を主とする表示モードであり、第２は、文字等の情報の入力を主とする入力モードである。第３は表示モードと入力モードの２つのモードが混合した表示＋入力モードである。
【０１６６】
例えば、電話を掛ける、或いはメールを作成する場合は、表示部７４０２を文字の入力を主とする文字入力モードとし、画面に表示させた文字の入力操作を行えばよい。この場合、表示部７４０２の画面のほとんどにキーボード又は番号ボタンを表示させることが好ましい。
【０１６７】
また、携帯電話機７４００内部に、ジャイロ、加速度センサ等の傾きを検出するセンサを有する検出装置を設けることで、携帯電話機７４００の向き（縦か横か）を判断して、表示部７４０２の画面表示を自動的に切り替えるようにすることができる。
【０１６８】
また、画面モードの切り替えは、表示部７４０２を触れること、又は筐体７４０１の操作ボタン７４０３の操作により行われる。また、表示部７４０２に表示される画像の種類によって切り替えるようにすることもできる。例えば、表示部に表示する画像信号が動画のデータであれば表示モード、テキストデータであれば入力モードに切り替える。
【０１６９】
また、入力モードにおいて、表示部７４０２の光センサで検出される信号を検知し、表示部７４０２のタッチ操作による入力が一定期間ない場合には、画面のモードを入力モードから表示モードに切り替えるように制御してもよい。
【０１７０】
表示部７４０２は、イメージセンサとして機能させることもできる。例えば、表示部７４０２に掌や指で触れ、掌紋、指紋等を撮像することで、本人認証を行うことができる。また、表示部に近赤外光を発光するバックライト又は近赤外光を発光するセンシング用光源を用いれば、指静脈、掌静脈などを撮像することもできる。
【０１７１】
図９（Ｅ）は、照明装置の一例を示している。照明装置７５００は、筐体７５０１に光源として本発明の一態様の発光装置７５０３ａ〜７５０３ｄが組み込まれている。照明装置７５００は、天井や壁等に取り付けることが可能である。
【０１７２】
また、本発明の一態様の発光装置は、発光素子が薄膜状であるため、曲面を有する基体に貼り付けることで、曲面を有する発光装置とすることができる。また、その発光装置を、曲面を有する筐体に配置することで、曲面を有する電子機器または照明装置を実現することができる。
【０１７３】
上述した本発明の一態様の発光装置は、可溶合金を含む電極と可視光を透過する電極との間に発光性の有機化合物を含む層を備え、該可溶合金を含む電極は熱溶融性の有機組成物を含む層と接し、且つ該可溶合金の融点は該熱溶融性の有機組成物の融点より高く、また該発光性の有機化合物を含む層が破壊してしまう温度より低い構成を備える発光素子が適用された構成を有する。これにより、短絡性の不良が顕在化しても電力が無駄に消費されない発光装置を提供できる。
【０１７４】
なお、本実施の形態は、本明細書で示す他の実施の形態と適宜組み合わせることができる。
【０１７５】
（実施の形態６）
本実施の形態では、本発明の一態様の発光素子を搭載した発光装置の一例について、図１０を用いて説明する。具体的には照明に用いる発光装置（照明装置または照明器具）について説明する。
【０１７６】
本発明の一態様では、発光部が曲面を有する照明装置を実現することもできる。
【０１７７】
本発明の一態様は、自動車の照明にも適用することができ、例えば、ダッシュボードや、天井等に照明を容易に設置することもできる。
【０１７８】
図１０（Ａ）では、本発明の一態様を適用した、室内の天井に設ける照明装置９０１、壁面に設ける照明装置９０４及び卓上照明器具９０３を示す。発光装置は大面積化も可能であるため、大面積の照明装置として用いることができる。
【０１７９】
図１０（Ｂ）に別の照明装置の例を示す。図１０（Ｂ）に示す卓上照明装置は、照明部９５０１、支柱９５０３、支持台９５０５等を含む。照明部９５０１は、本発明の一態様の発光デバイスを含む。このように、本発明の一態様では、曲面を有する照明装置を実現することができる。
【０１８０】
上述した本発明の一態様の発光装置は、可溶合金を含む電極と可視光を透過する電極との間に発光性の有機化合物を含む層を備え、該可溶合金を含む電極は熱溶融性の有機組成物を含む層と接し、且つ該可溶合金の融点は該熱溶融性の有機組成物の融点より高く、また該発光性の有機化合物を含む層が破壊してしまう温度より低い構成を備える発光素子が適用された構成を有する。これにより、短絡性の不良が顕在化しても電力が無駄に消費されない発光装置を提供できる。
【０１８１】
本実施の形態は、他の実施の形態と自由に組み合わせることができる。
【符号の説明】
【０１８２】
１００    基板
１００ｃ    基板
１０１    電極
１０１ｃ    電極
１０２    電極
１０２ｂ    電極
１０２ｃ    電極
１０３    発光性の有機化合物を含む層
１０４    隔壁
１０５    熱溶融性の有機組成物を含む層
１０５ｃ    熱溶融性の有機組成物を含む層
１０５ｍ    溶融した有機組成物を含む層
１０５ｓ    熱溶融性の有機組成物を含む層
１５０ａ    発光素子
１５０ｂ    発光素子
１５０ｃ    発光素子
１５１    端子
１５２    端子
１５８    シール材
１５９    封止材
１５９ｂ    封止材
１５９ｃ    封止材
１９９    異物
２０１    電極群
２０２    電極群
２０３    発光性の有機化合物を含む層
２０４    隔壁
２５０    発光パネル
２５１    端子群
２５２    端子群
９０１    照明装置
９０３    卓上照明器具
９０４    照明装置
１１０１    陽極
１１０２    陰極
１１０３    ＥＬ層
１１０３ａ    ＥＬ層
１１０３ｂ    ＥＬ層
１１０４    中間層
１１０４ａ    電子注入バッファー
１１０４ｂ    電子リレー層
１１０４ｃ    電荷発生領域
１１１３    ホール注入層
１１１４    ホール輸送層
１１１５    発光層
１１１６    電子輸送層
１１１７    電子注入層
１４００    発光装置
１４０１    ソース側駆動回路
１４０２    画素部
１４０３    ゲート側駆動回路
１４０４    封止基板
１４０５    シール材
１４０７    空間
１４０８    配線
１４０９    ＦＰＣ（フレキシブルプリントサーキット）
１４１０    素子基板
１４１１    スイッチング用ＴＦＴ
１４１２    電流制御用ＴＦＴ
１４１３    電極
１４１４    隔壁
１４１５    熱溶融性の有機組成物を含む層
１４１６    発光層
１４１７    電極
１４１８    発光素子
１４２３    ｎチャネル型ＴＦＴ
１４２４    ｐチャネル型ＴＦＴ
１５００    発光装置
１５０１    基板
１５０２    電極
１５０３    電極
１５０４    発光層
１５０５    絶縁層
１５０６    隔壁層
１５０７    熱溶融性の有機組成物を含む層
７１００    テレビジョン装置
７１０１    筐体
７１０３    表示部
７１０５    スタンド
７１０７    表示部
７１０９    操作キー
７１１０    リモコン操作機
７２０１    本体
７２０２    筐体
７２０３    表示部
７２０４    キーボード
７２０５    外部接続ポート
７２０６    ポインティングデバイス
７３０１    筐体
７３０２    筐体
７３０３    連結部
７３０４    表示部
７３０５    表示部
７３０６    スピーカ部
７３０７    記録媒体挿入部
７３０８    ＬＥＤランプ
７３０９    操作キー
７３１０    接続端子
７３１１    センサ
７３１２    マイクロフォン
７４００    携帯電話機
７４０１    筐体
７４０２    表示部
７４０３    操作ボタン
７４０４    外部接続ポート
７４０５    スピーカ
７４０６    マイク
７５００    照明装置
７５０１    筐体
７５０３ａ〜ｄ    発光装置
９５０１    照明部
９５０３    支柱
９５０５    支持台
【図１】
0005882086.tif 000002
【図２】
0005882086.tif 000003
【図３】
0005882086.tif 000004
【図４】
0005882086.tif 000005
【図５】
0005882086.tif 000006
【図６】
0005882086.tif 000007
【図７】
0005882086.tif 000008
【図８】
0005882086.tif 000009
【図９】
0005882086.tif 000010
【図１０】
0005882086.tif 000011